(57)【要約】【課題】  著作権保護機能を備えた書き換え可能な記録メディアを用いて、再生装置自体のコンテンツ再生機能の利用可否を制御可能にすることを実現する。【解決手段】  再生装置１０１は、ＳＤメモリカード１０３を着脱可能であり、記憶されたコンテンツを再生する。制御部１は、ＳＤメモリカード１０３に記憶されるＣｏｎｔｅｎｔ  Ｕｓａｇｅ  Ｒｕｌｅ情報２１６及びＤｅｖｉｃｅ  Ｕｓａｇｅ  Ｒｕｌｅ情報２１８を用いて、コンテンツファイル２１４及び再生装置１０１についての再生許諾条件が再生可能であるか否かを判別する。制御部１は、両再生許諾条件が再生可能であると判別した場合に、コンテンツファイル２１４を復号部６へ伝送し、再生を行う。【選択図】  図３
2010238334.tif 000002
【特許請求の範囲】
【請求項１】
当該再生装置に着脱可能な記憶媒体から、少なくとも、コンテンツと、コンテンツの再生許諾条件と、再生装置の再生許諾条件の何れかを読み出す読出し部と、
前記コンテンツを再生する再生部と、
前記コンテンツの再生許諾条件が再生可能であるか否かを判別するコンテンツ判別部と、
前記再生装置の再生許諾条件が再生可能であるか否かを判別する再生装置判別部と、
前記コンテンツを再生する場合、前記コンテンツ判別部にて前記コンテンツについての前記コンテンツ再生許諾条件が再生可能な再生許諾条件であると判別し、前記再生装置判別部にて当該再生装置についての前記再生装置の再生許諾条件が再生可能な再生許諾条件であると判別した場合に、前記コンテンツを前記再生部にて再生するように制御する再生制御部と
を有することを特徴とする再生装置。
【請求項２】
前記コンテンツを再生する際に外部から時刻情報を取得する時刻取得部を更に有し、
前記再生装置判別部は、前記再生開始時刻情報により特定される再生開始時刻が、前記再生装置の再生許諾条件に記憶される第１の再生可能期間内であるか否かを判別し、
前記再生制御部は、前記再生装置判別部にて前記再生開始時刻が前記第１の再生可能期間内であると判別した場合に、前記コンテンツを前記再生部にて再生するように制御することを特徴する請求項１に記載の再生装置。
【請求項３】
前記コンテンツ判別部は、前記再生開始時刻が前記コンテンツの再生許諾条件に記憶される第２の再生可能期間内であるか否かを判別し、前記再生開始時刻が前記第２の再生可能期間内であると判別した場合、前記コンテンツの再生許諾条件に記憶される前記コンテンツの再生回数が、前記コンテンツの再生可能回数未満であるか否かを判別し、
前記再生制御部は、前記コンテンツ判別部にて前記コンテンツの再生回数が前記再生可能回数未満であると判別した場合に、前記コンテンツを前記再生部にて再生するように制御することを特徴する請求項２に記載の再生装置。
【請求項４】
前記再生装置判別部は、前記再生装置の再生許諾条件に記憶される第１の所定の日数を前記再生開始時刻に加算した第３の再生可能期間を算出し、
前記コンテンツ判別部は、前記コンテンツの再生許諾条件に記憶される第２の所定の日数を前記再生開始時刻に加算した第４の再生可能期間を算出し、
前記再生制御部は、前記再生装置判別部にて前記再生開始時刻が前記第３の再生可能期間内であると判別し、前記コンテンツ判別部にて前記再生開始時刻が前記第４の再生可能期間内であると判別した場合に、前記コンテンツを前記再生部にて再生するように制御することを特徴する請求項３に記載の再生装置。
【請求項５】
前記再生装置判別部は、前記第１の所定の日数が記憶されていない場合、前記再生開始時刻から前記第１の再生可能期間の終了日時までを前記第３の再生可能期間と設定し、
前記再生装置判別部は、前記第２の所定の日数が記憶されていない場合、前記再生開始時刻から前記第２の再生可能期間の終了日時までを前記第４の再生可能期間と設定する
ことを特徴とする請求項３に記載の再生装置。
【請求項６】
再生装置に着脱可能な記憶媒体であって、
前記再生装置により再生されるコンテンツと、
前記コンテンツの再生可能回数、前記コンテンツの再生可能期間の少なくとも何れかを有する前記コンテンツの再生許諾条件に関する情報と、
前記コンテンツを再生可能な再生装置を示す識別情報、前記再生装置にて前記コンテンツを再生可能な期間の少なくとも何れかを有する前記再生装置の再生許諾条件に関する情報と、
が記憶されることを特徴とする記憶媒体。
【発明の詳細な説明】
【技術分野】
【０００１】
本発明は再生装置及び再生装置により再生されるコンテンツを記憶する記憶媒体に関する。
【背景技術】
【０００２】
近年インターネットやメディアを介してデジタルコンテンツの流通が広まっているため、コンテンツの著作権の保護は急務である。コンテンツの著作権保護を行う方法の一例が、特許文献１に開示されている。この技術によれば、あるオリジナルコンテンツに基づいて製作されたリメークコンテンツを記憶するメディアに、オリジナルコンテンツ及びリメークコンテンツの著作権情報を付随させるものである。
【０００３】
オリジナルコンテンツの著作権情報とは、オリジナルコンテンツの著作者及び作成した日時等である。リメークコンテンツの著作権情報とは、リメークコンテンツの作成者、作成日時、作成に用いられた装置の識別コード、再生装置に対する再生の許可情報等である。これらの著作権情報を付随させることで、コンテンツの私的利用の権利に制限を加えることができる。
【先行技術文献】
【特許文献】
【０００４】
【特許文献１】特開２００８−１５３５８３
【発明の概要】
【発明が解決しようとする課題】
【０００５】
ところで、ＤＶＤやＣＤ等のレンタルサービスに替わり、記憶媒体を利用したコンテンツの有料配信サービスも広まりつつある。このコンテンツの有料配信サービスは、ＳＤメモリカード等の著作権保護に備えた書き換え可能なメディアに、配信端末から映像や音楽等のコンテンツをダウンリードしてユーザが自宅でコンテンツを利用するものである。従来のレンタルサービスと比べて、メディアの返却する手間がないという利便性の高さから、利用の拡大が見込まれるサービスである。
【０００６】
このコンテンツ配信サービスを利用するに当たり、ユーザの所有する再生装置は、記憶媒体を着脱可能であっても、そのコンテンツに対応した再生機能を有しているとは限らない。一方、コンテンツに対応した再生機能を有する再生装置を貸し出すと、その再生装置を返却する手間を要するため本サービスの利便性が損なわれる。
【０００７】
本発明は、上述した点に鑑みてなされたものであり、著作権保護機能を備えた書き換え可能な記録メディアを用いて、再生装置自体のコンテンツ再生機能の利用可否を制御可能にすることを目的とする。
【課題を解決するための手段】
【０００８】
上記目的を達成するために、本発明に係る再生装置は、当該再生装置に着脱可能な記憶媒体から、少なくとも、コンテンツと、コンテンツの再生許諾条件と、再生装置の再生許諾条件の何れかを読み出す読出し部と、前記コンテンツを再生する再生部と、前記コンテンツの再生許諾条件が再生可能であるか否かを判別するコンテンツ判別部と、前記再生装置の再生許諾条件が再生可能であるか否かを判別する再生装置判別部と、前記コンテンツを再生する場合、前記コンテンツ判別部にて前記コンテンツについての前記コンテンツ再生許諾条件が再生可能な再生許諾条件であると判別し、前記再生装置判別部にて当該再生装置についての前記再生装置の再生許諾条件が再生可能な再生許諾条件であると判別した場合に、前記コンテンツを前記再生部にて再生するように制御する再生制御部とを有することを特徴としている。
【０００９】
また、本発明に係る記憶媒体は、再生装置に着脱可能な記憶媒体であって、前記再生装置により再生されるコンテンツと、前記コンテンツの再生可能回数、前記コンテンツの再生可能期間の少なくとも何れかを有する前記コンテンツの再生許諾条件に関する情報と、前記コンテンツを再生可能な再生装置を示す識別情報、前記再生装置にて前記コンテンツを再生可能な期間の少なくとも何れかを有する前記再生装置の再生許諾条件に関する情報とが記憶されることを特徴とする記憶媒体。
【発明の効果】
【００１０】
著作権保護機能を備えた書き換え可能な記録メディアを用いて、再生装置自体のコンテンツ再生機能の利用可否を制御可能にすることを実現する。
【図面の簡単な説明】
【００１１】
【図１】本発明の実施の形態におけるコンテンツ配信システムの全体図。
【図２】本発明の実施の形態における再生装置の機能ブロック図。
【図３】本発明の実施の形態におけるＳＤメモリカードの記憶状態の例。
【図４】本実施の形態におけるＳＤメモリカードに記憶するＣｏｎｔｅｎｔ  Ｕｓａｇｅ  Ｒｕｌｅ情報の項目を示した図。
【図５】本実施の形態における再生可能期間及び再生有効期間の関係図。
【図６】本実施の形態におけるＳＤメモリカードに記憶するＤｅｖｉｃｅ  Ｕｓａｇｅ  Ｒｕｌｅ情報の項目を示した図。
【図７】本発明の実施の形態における再生装置のＤｅｖｉｃｅ  Ｕｓａｇｅ  Ｒｕｌｅ情報による再生判別のフローチャート。
【図８】本発明の実施の形態における再生装置のＤｅｖｉｃｅ  Ｕｓａｇｅ  Ｒｕｌｅ情報の設定処理を示すフローチャート。
【図９】本発明の実施の形態における再生装置のＤｅｖｉｃｅ  Ｕｓａｇｅ  Ｒｕｌｅ情報による初回再生時の処理を示すフローチャート。
【図１０】本発明の実施の形態における再生装置のＣｏｎｔｅｎｔ  Ｕｓａｇｅ  Ｒｕｌｅ情報による再生判別のフローチャート。
【図１１】本発明の実施の形態における再生装置のＣｏｎｔｅｎｔ  Ｕｓａｇｅ  Ｒｕｌｅ情報による設定処理を示すフローチャート。
【図１２】本発明の実施の形態における再生装置のＣｏｎｔｅｎｔ  Ｕｓａｇｅ  Ｒｕｌｅ情報による初回再生時の処理を示すフローチャート。
【発明を実施するための形態】
【００１２】
以下に、図１〜図１２を参照して、本発明の実施の形態について説明する。図１は、本発明の実施の形態におけるコンテンツ配信システム１００の全体図である。コンテンツ配信システム１００は、再生装置１０１と、コンテンツ配信端末１０２と、ＳＤ（Ｓｅｃｕｒｅ  Ｄｉｇｉｔａｌ）メモリカード１０３とから構成される。
【００１３】
再生装置１０１は、記憶媒体に記憶されたコンテンツを再生する装置である。本実施の形態における再生装置１０１は、ＳＤメモリカード１０３が着脱可能であり、ＳＤメモリカード１０３に記憶されたコンテンツを再生することができる。再生装置１０１は、例えばテレビジョン受像機やパーソナルコンピュータでも良い。
【００１４】
コンテンツ配信端末１０２は、外部サーバ等から配信されるコンテンツを、ユーザに販売するための店頭端末である。コンテンツ配信端末１０２は、配信されたコンテンツをユーザに対してリストにして表示し、ユーザがコンテンツを購入した場合、選択されたコンテンツの代金を課金する。
【００１５】
ＳＤメモリカード１０３は、コンテンツ配信端末１０２や他の装置からダウンリードしたコンテンツを記憶する記憶媒体である。このＳＤメモリカード１０３は、ＣＰＲＭ（Ｃｏｎｔｅｎｔ  Ｐｒｏｔｅｃｔｉｏｎ  ｆｏｒ  Ｒｅｃｏｒｄａｂｌｅ  Ｍｅｄｉａ）に対応している。
【００１６】
次に、本実施の形態における再生装置１０１の機能について図２を用いて説明する。図２は、本実施の形態における再生装置１０１の機能ブロック図である。
【００１７】
再生装置１０１は、制御部１と、リムーバブルメディアＩ／Ｆ２と、セキュアクロック３と、記憶部４と、操作信号受信部５と、復号部６と、ＴＳ−ＤＥＭＵＸ（Ｔｒａｎｓｐｏｒｔ  Ｓｔｒｅａｍ−ｄｅｍｕｌｔｉｐｌｅｘｅｒ）７と、ビデオデコーダ部８と、オーディオデコーダ部９と、映像出力部１０と、音声出力部１１とから構成される。
【００１８】
制御部１は、各機能を実現する制御プログラムの命令を実行し、再生装置１０１の全体の動作を制御する。
【００１９】
リムーバブルメディアＩ／Ｆ２は、ＳＤメモリカード１０３等の記憶媒体に記憶された情報を読み出す。
【００２０】
セキュアクロック３は、ユーザが不正な値の更新ができないセキュアなクロックである。例えば、インターネットを介して信頼できる時刻サーバから現在の時刻情報を常時あるいは定期的に取得する。
【００２１】
記憶部４は、リムーバブルメディアＩ／Ｆ２から読み込んだコンテンツや、放送局から配信されるコンテンツ等を記憶する。
【００２２】
操作信号受信部５は、再生装置１０１に設けられるボタンや、赤外線通信を介して無線通信を行うことができるリモートコントローラ（図示しない）等の操作部から操作信号を受信し、制御部１にその操作信号を伝送する。
【００２３】
復号部６は、ＳＤメモリカード１０３に記憶されたコンテンツファイル２１４及びＣｏｎｔｅｎｔ  Ｕｓａｇｅ  Ｒｕｌｅ情報２１６を読み出し、Ｃｏｎｔｅｎｔ  Ｕｓａｇｅ  Ｒｕｌｅ情報２１６Ｂに記憶されている鍵情報を用いてコンテンツの復号化を行う。復号部６は、復号化したコンテンツを、ＴＳ−ＤＥＭＵＸ７に伝送する。
【００２４】
ＴＳ−ＤＥＭＵＸ７は、復号部６から伝送された復号化コンテンツを、ビデオデータとオーディオデータとに分離する。ＴＳ−ＤＥＭＵＸ７は、分離したビデオデータをビデオデコーダ部８に、オーディオデータをオーディオデコーダ部９にそれぞれ伝送する。
【００２５】
ビデオデコーダ部８は、ＴＳ−ＤＥＭＵＸ７から伝送されたビデオデータを所定の形式に従って、デコード処理を施す。
【００２６】
オーディオデコーダ部９は、ＴＳ−ＤＥＭＵＸ７から伝送されたオーディオデータを所定の形式に従って、デコード処理を施す。
【００２７】
映像出力部１０は、ビデオデコーダ部８でデコード処理が施されたビデオデータを再生し、再生装置１０１に備えられた画面等に出力する。
【００２８】
音声出力部１１は、オーディオデコーダ部９でデコード処理が施されたオーディオデータを再生し、再生装置１０１に備えられたスピーカ等に出力する。
【００２９】
次にＳＤメモリカード１０３の記憶状態について説明する。図３は、本発明の実施の形態におけるＳＤメモリカード１０３の記憶状態の例である。
【００３０】
ＳＤメモリカード１０３には、システム領域２０１と、認証領域２０２と、通常領域２０３とが存在する。
【００３１】
システム領域２０１には、メディアＩＤ２１０が記憶される。メディアＩＤ２１０は、ＳＤメモリカード１０３に固有の識別子である。
【００３２】
認証領域２０２には、鍵ファイル２１１が記憶される。鍵ファイル２１１は、コンテンツ暗号鍵情報２１２と、ハッシュ値２１３とを格納している。
【００３３】
コンテンツ暗号鍵情報２１２は、通常領域２０３に記憶されているコンテンツファイル２１４の鍵情報である。ハッシュ値２１３は、Ｃｏｎｔｅｎｔ  Ｕｓａｇｅ  Ｒｕｌｅ情報２１６の改ざん検出のためのハッシュ値である。尚、本実施の形態においては、１つの鍵ファイル２１１の中に、複数のコンテンツ暗号鍵情報２１２とハッシュ値２１３を格納しているが、コンテンツごとにファイルを分けても良い。
【００３４】
通常領域２０３には、複数のコンテンツファイル２１４と、Ｃｏｎｔｅｎｔｓ  Ｕｓａｇｅ  Ｒｕｌｅ  Ｆｉｌｅ２１５と、Ｄｅｖｉｃｅｓ  Ｕｓａｇｅ  Ｒｕｌｅ  Ｆｉｌｅ２１７とが格納されている。
【００３５】
コンテンツファイル２１４は、コンテンツ配信端末１０２等からＳＤメモリカード１０３にダウンロードした、著作権保護されたコンテンツファイルである。このコンテンツファイルには、コンテンツの再生許諾条件を課したレンタルコンテンツと、再生許諾条件が課されずユーザが所有することができる買取コンテンツがある。レンタルコンテンツには、コンテンツに対して再生許諾条件を課すための、Ｃｏｎｔｅｎｔ  Ｕｓａｇｅ  Ｒｕｌｅ情報２１６が共に記憶される。
【００３６】
Ｃｏｎｔｅｎｔｓ  Ｕｓａｇｅ  Ｒｕｌｅ  Ｆｉｌｅ２１５は、各コンテンツファイル２１４に関するＵｓａｇｅ  Ｒｕｌｅを記憶したファイルである。即ち、Ｃｏｎｔｅｎｔｓ  Ｕｓａｇｅ  Ｒｕｌｅ  Ｆｉｌｅ２１５は、複数のＣｏｎｔｅｎｔ  Ｕｓａｇｅ  Ｒｕｌｅ情報２１６を格納している。Ｃｏｎｔｅｎｔ  Ｕｓａｇｅ  Ｒｕｌｅ情報２１６は、コンテンツファイル２１４に関するＵｓａｇｅ  Ｒｕｌｅを記憶している。Ｃｏｎｔｅｎｔ  Ｕｓａｇｅ  Ｒｕｌｅ情報２１６が、記憶している項目については、後述する。尚、本実施の形態においては、１つのファイルに複数のＣｏｎｔｅｎｔ  Ｕｓａｇｅ  Ｒｕｌｅ情報２１６を格納しているが、コンテンツファイル２１４ごとにファイルを分けても良い。また、Ｃｏｎｔｅｎｔｓ  Ｕｓａｇｅ  Ｒｕｌｅ  Ｆｉｌｅ２１５は、本発明の実施の形態においては通常領域２０３に記憶されるとしたが、認証領域２０２に記憶するとしても良い。また、認証領域２０２の中で、Ｃｏｎｔｅｎｔｓ  Ｕｓａｇｅ  Ｒｕｌｅ  Ｆｉｌｅ２１５とコンテンツ暗号鍵情報２１２とをマージして配置するとしても良い。Ｃｏｎｔｅｎｔｓ  Ｕｓａｇｅ  Ｒｕｌｅ  Ｆｉｌｅ２１５を認証領域２０２に記憶する場合は、Ｃｏｎｔｅｎｔ  Ｕｓａｇｅ  Ｒｕｌｅ情報２１６の改ざんは困難であるのでハッシュ値２１３はなくても良い。
【００３７】
Ｄｅｖｉｃｅｓ  Ｕｓａｇｅ  Ｒｕｌｅ  Ｆｉｌｅ２１７は、各再生装置１０１に関するＵｓａｇｅ  Ｒｕｌｅを記憶したファイルである。即ち、Ｄｅｖｉｃｅｓ  Ｕｓａｇｅ  Ｒｕｌｅ  Ｆｉｌｅ２１７は、複数のＤｅｖｉｃｅ  Ｕｓａｇｅ  Ｒｕｌｅ情報２１８を格納している。Ｄｅｖｉｃｅ  Ｕｓａｇｅ  Ｒｕｌｅ情報２１８は、予めメディアＩＤ２１０及び再生装置１０１に固有の鍵データで暗号化して記憶されている。Ｄｅｖｉｃｅ  Ｕｓａｇｅ  Ｒｕｌｅ情報２１８に記憶している項目については、後述する。尚、本実施の形態においては、１つのファイルに複数のＤｅｖｉｃｅ  Ｕｓａｇｅ  Ｒｕｌｅ情報２１８を格納しているが、再生装置１０１ごとにファイルを分けても良い。
【００３８】
次に、Ｃｏｎｔｅｎｔ  Ｕｓａｇｅ  Ｒｕｌｅ情報２１６に記憶する項目について図４及び図５を用いて説明する。図４は、本実施の形態におけるＳＤメモリカード１０３に記憶するＣｏｎｔｅｎｔ  Ｕｓａｇｅ  Ｒｕｌｅ情報２１６の項目を示した図である。図５は、本実施の形態における再生可能期間Ｔ１及び再生有効期間Ｔ２の関係図である。
【００３９】
Ｃｏｎｔｅｎｔ  Ｕｓａｇｅ  Ｒｕｌｅ情報２１６には、コンテンツ識別情報２１６Ａと、コンテンツ鍵情報２１６Ｂと、コンテンツＵｓａｇｅ  Ｒｕｌｅフラグ２１６Ｃと、再生有効期間Ｔ２の開始日時２１６Ｄと、再生有効期間Ｔ２の終了日時２１６Ｅと、現在のコンテンツ再生回数２１６Ｆと、再生可能期間Ｔ１の開始日時２１６Ｇと、再生可能期間Ｔ１の終了日時２１６Ｈと、コンテンツ再生可能回数２１６Ｉと、再生有効期間Ｔ２の日数２１６Ｊとが格納されている。
【００４０】
コンテンツ識別情報２１６Ａは、コンテンツに固有の識別子である。
【００４１】
コンテンツ鍵情報２１６Ｂは、コンテンツファイル２１４の暗号化に用いた鍵に関する情報である。
【００４２】
コンテンツＵｓａｇｅ  Ｒｕｌｅフラグ２１６Ｃは、Ｃｏｎｔｅｎｔ  Ｕｓａｇｅ  Ｒｕｌｅ情報２１６に格納されている項目が有効であるか否かを示すフラグである。
【００４３】
再生有効期間Ｔ２の開始日時２１６Ｄは、再生有効期間Ｔ２の開始日時と、これらの有効性を示すフラグとが格納される。再生有効期間Ｔ２の開始日時とは、再生を開始した時点であり、図５中のｔ１の時点に相当する。
【００４４】
再生有効期間Ｔ２の終了日時２１６Ｅには、再生有効期間Ｔ２の開始日時２１６Ｄから起算される再生有効期間Ｔ２の終了日時と、この有効性を示すフラグとが格納される。再生有効期間Ｔ２の終了日時２１６Ｅとは、再生有効期間Ｔ２の開始日時２１６Ｄに、再生有効期間Ｔ２の日数２１６Ｊを加算した日時である。図５の例においては、ｔ１の時点から再生有効期間Ｔ２の日数２１６Ｊを加算したｔ２の時点が、再生有効期間Ｔ２の終了日時に該当する。
【００４５】
現在のコンテンツ再生回数２１６Ｆは、そのコンテンツファイル２１４が再生された回数を示す。コンテンツを最初から最後まで再生した場合を１回としてカウントするとしても良いし、連続して所定の時間以上再生した場合を１回とカウントするとしても良い。
【００４６】
再生可能期間Ｔ１の開始日時２１６Ｇには、コンテンツファイル２１４の再生が可能な期間の開始日時と、この有効性を示すフラグとが格納される。コンテンツファイル２１４の再生可能な期間の開始日時は、コンテンツ配信端末１０２からＳＤメモリカード１０３にコンテンツファイル２１４をダウンロードした際に課される。図５中では、再生可能な期間の開始日時はｔ０に該当する。再生が実行されていない場合、再生可能期間Ｔ１の開始日時ｔ０と再生有効期間Ｔ２の開始日時ｔ１とを同一と設定する。
【００４７】
再生可能期間Ｔ１の終了日時２１６Ｈには、コンテンツファイル２１４の再生可能期間Ｔ１の終了日時と、この有効性を示すフラグとが格納される。コンテンツファイル２１４の再生可能期間Ｔ１の終了日時は、コンテンツ配信端末１０２からＳＤメモリカード１０３にコンテンツファイル２１４をダウンロードした際に課される。図５中では、再生可能期間Ｔ１の終了日時はｔ３に該当する。再生可能期間Ｔ１の開始日時及び再生可能期間Ｔ１の終了日時から決定される再生可能期間Ｔ１は再生有効期間Ｔ２より長い。再生可能期間Ｔ１内にて、再生有効期間Ｔ２を設けることにより、ユーザが再生を行う期間の選択性を広げている。
【００４８】
コンテンツ再生可能回数２１６Ｉには、コンテンツファイル２１４の再生可能な回数と、この有効性を示すフラグとが格納される。コンテンツファイル２１４の再生可能な回数はコンテンツ配信端末１０２からＳＤメモリカード１０３にコンテンツファイル２１４をダウンロードする際に課され、例えばその回数に応じて課金が行われるとする。
【００４９】
再生有効期間Ｔ２の日数２１６Ｊには、コンテンツファイル２１４を実際に再生した時点から再生可能な期間を示す再生有効期間Ｔ２の日数と、この有効性を示すフラグとが格納される。再生有効期間Ｔ２の日数Ｔ２は、コンテンツ配信端末１０２からＳＤメモリカード１０３にコンテンツファイル２１４をダウンロードした際に課され、例えば再生有効期間Ｔ２の日数の長さに応じて課金が行われるとする。この再生有効期間Ｔ２を過ぎた場合、ユーザの設定に応じて、コンテンツファイル２１４を再生できないようにしても良いし、コンテンツファイル２１４を自動的に通常領域２０３から消去するとしても良い。
【００５０】
本実施の形態において、Ｃｏｎｔｅｎｔ  Ｕｓａｇｅ  Ｒｕｌｅ情報２１６が記憶されている場合は、コンテンツ配信端末１０２においてコンテンツについて再生許諾条件が課されている状態である。即ち、再生許諾条件が満たされている場合のみしか、コンテンツの再生が行わない。一方、Ｃｏｎｔｅｎｔ  Ｕｓａｇｅ  Ｒｕｌｅ情報２１６が記憶されていない場合は、例えばコンテンツを購入した場合に相当し、この場合ユーザがＣｏｎｔｅｎｔ  Ｕｓａｇｅ  Ｒｕｌｅ情報２１６によらずコンテンツを利用できる。
【００５１】
次に、Ｄｅｖｉｃｅ  Ｕｓａｇｅ  Ｒｕｌｅ情報２１８に記憶する項目について図６を用いて説明する。図６は、本実施の形態におけるＳＤメモリカード１０３に記憶するＤｅｖｉｃｅ  Ｕｓａｇｅ  Ｒｕｌｅ情報２１８の項目を示した図である。
【００５２】
Ｄｅｖｉｃｅ  Ｕｓａｇｅ  Ｒｕｌｅ情報２１８には、再生装置識別情報２１８Ａと、再生装置Ｕｓａｇｅ  Ｒｕｌｅフラグ２１８Ｂと、再生有効期間Ｔ２の開始日時２１８Ｃと、再生有効期間Ｔ２の終了日時２１８Ｄと、再生可能期間Ｔ１の開始日時２１８Ｅと、再生可能期間Ｔ１の終了日時２１８Ｆと、再生有効期間Ｔ２の日数２１８Ｇとが格納されている。
【００５３】
再生装置識別情報２１８Ａは、再生装置１０１に固有の識別子であり、例えば再生装置の種類やモデルを示すものである。
【００５４】
再生装置Ｕｓａｇｅ  Ｒｕｌｅフラグ２１８Ｂは、Ｄｅｖｉｃｅ  Ｕｓａｇｅ  Ｒｕｌｅ情報２１８に格納されている項目が有効であるか否かを示すフラグである。
【００５５】
再生有効期間Ｔ２の開始日時２１８Ｃは、再生有効期間Ｔ２の開始日時と、これらの有効性を示すフラグとが格納される。Ｄｅｖｉｃｅ  Ｕｓａｇｅ  Ｒｕｌｅ情報２１８Ｃは、Ｃｏｎｔｅｎｔ  Ｕｓａｇｅ  Ｒｕｌｅ情報２１６Ｄと同様であるので説明を省略する。
【００５６】
再生有効期間Ｔ２の終了日時２１８Ｄは、再生有効期間Ｔ２の開始日時２１８Ｃから起算される再生有効期間Ｔ２の終了日時と、この有効性を示すフラグとが格納される。Ｄｅｖｉｃｅ  Ｕｓａｇｅ  Ｒｕｌｅ情報２１８Ｄは、Ｃｏｎｔｅｎｔ  Ｕｓａｇｅ  Ｒｕｌｅ情報２１６Ｅと同様であるので説明を省略する。
【００５７】
再生可能期間Ｔ１の開始日時２１８Ｅは、再生装置１０１においてコンテンツファイル２１４の再生可能期間Ｔ１の開始日時と、この有効性を示すフラグとが格納される。Ｄｅｖｉｃｅ  Ｕｓａｇｅ  Ｒｕｌｅ情報２１８Ｅは、Ｃｏｎｔｅｎｔ  Ｕｓａｇｅ  Ｒｕｌｅ情報２１６Ｇと同様であるので説明を省略する。
【００５８】
再生可能期間Ｔ１の終了日時２１８Ｆは、再生装置１０１においてコンテンツファイル２１４の再生可能期間Ｔ１の終了日時と、この有効性を示すフラグとが格納される。Ｄｅｖｉｃｅ  Ｕｓａｇｅ  Ｒｕｌｅ情報２１８Ｆは、Ｃｏｎｔｅｎｔ  Ｕｓａｇｅ  Ｒｕｌｅ情報２１６Ｈと同様であるので説明を省略する。
【００５９】
再生有効期間Ｔ２の日数２１８Ｇは、再生装置１０１においてコンテンツファイル２１４を実際に再生した時点からの再生可能な日数を示す再生有効期間Ｔ２の日数と、この有効性を示すフラグとが格納される。Ｄｅｖｉｃｅ  Ｕｓａｇｅ  Ｒｕｌｅ情報２１８Ｇは、Ｃｏｎｔｅｎｔ  Ｕｓａｇｅ  Ｒｕｌｅ情報２１６Ｊと同様であるので説明を省略する。
【００６０】
上述のＤｅｖｉｃｅ  Ｕｓａｇｅ  Ｒｕｌｅ情報２１８を記憶することで、コンテンツファイル２１４についてのみならず、コンテンツファイル２１４の再生を行う再生装置１０１についても再生許諾条件を課している。
【００６１】
次に、ＳＤメモリカード１０３に記憶されたコンテンツファイル２１４を再生する場合の再生装置１０１の動作について図７〜図１２を用いて説明する。図７は、本発明の実施の形態における再生装置１０１のＤｅｖｉｃｅ  Ｕｓａｇｅ  Ｒｕｌｅ情報２１８による再生判別のフローチャートである。図８は、本発明の実施の形態における再生装置のＤｅｖｉｃｅ  Ｕｓａｇｅ  Ｒｕｌｅ情報２１８の設定処理を示すフローチャートである。図９は、本発明の実施の形態における再生装置１０１のＤｅｖｉｃｅ  Ｕｓａｇｅ  Ｒｕｌｅ情報２１８による初回再生時の処理を示すフローチャートである。図１０は、本発明の実施の形態における再生装置１０１のＣｏｎｔｅｎｔ  Ｕｓａｇｅ  Ｒｕｌｅ情報２１６による再生判別のフローチャートである。図１１は、本発明の実施の形態における再生装置のＣｏｎｔｅｎｔ  Ｕｓａｇｅ  Ｒｕｌｅ情報２１６による設定処理を示すフローチャートである。図１２は、本発明の実施の形態における再生装置１０１のＣｏｎｔｅｎｔ  Ｕｓａｇｅ  Ｒｕｌｅ情報２１６による初回再生時の処理を示すフローチャートである。
【００６２】
まず、図７を用いて説明する。制御部１は、ＳＤメモリカード１０３からＤｅｖｉｃｅ  Ｕｓａｇｅ  Ｒｕｌｅ情報２１８Ａを取得する（ステップＳ１０）。次に、現在操作している再生装置の識別情報と、Ｄｅｖｉｃｅ  Ｕｓａｇｅ  Ｒｕｌｅ情報２１８Ａに記憶される再生装置識別情報２１８Ａとが一致するか否かを判別する（ステップＳ１１）。その結果、一致しないと判別した場合（ステップＳ１１のＮｏ）、この手順を終了する。即ち、Ｄｅｖｉｃｅ  Ｕｓａｇｅ  Ｒｕｌｅ情報２１８に登録されている再生装置でないと再生できない。一方、一致すると判別した場合（ステップＳ１１のＹｅｓ）、次に、制御部１は、セキュアクロック３から現在時刻を取得する（ステップＳ１２）。
【００６３】
次に、制御部１は、Ｄｅｖｉｃｅ  Ｕｓａｇｅ  Ｒｕｌｅ情報２１８ＥとＤｅｖｉｃｅ  Ｕｓａｇｅ  Ｒｕｌｅ情報２１８Ｆのフラグが共に有効であるか否かを判別する（ステップＳ１３）。その結果、有効でないと判別した場合（ステップＳ１３のＮｏ）、後述するステップＳ２０に進む。即ち、再生可能期間Ｔ１に関する設定が有効でない場合、再生有効期間Ｔ２の開始日時及び終了日時の設定を行う。一方、有効であると判別した場合（ステップＳ１３のＹｅｓ）、次に、制御部１は、現在時刻が再生可能期間Ｔ１内であるか否かを判別する（ステップＳ１４）。再生可能期間Ｔ１は、Ｄｅｖｉｃｅ  Ｕｓａｇｅ  Ｒｕｌｅ情報２１８Ｅで設定される再生可能期間Ｔ１の開始日時と、Ｄｅｖｉｃｅ  Ｕｓａｇｅ  Ｒｕｌｅ情報２１８Ｆで設定される再生可能期間Ｔ１の終了日時との期間である。
【００６４】
その結果、再生可能期間Ｔ１内ではないと判別した場合（ステップＳ１４のＮｏ）、この手順を終了する。即ち、再生可能期間Ｔ１内でなければ再生装置１０１を動作させてコンテンツの再生を行うことはできない。一方、再生可能期間Ｔ１内であると判別した場合（ステップＳ１４のＹｅｓ）、次に、制御部１は、Ｄｅｖｉｃｅ  Ｕｓａｇｅ  Ｒｕｌｅ情報２１８Ｃのフラグが有効であるか否かを判別する（ステップＳ１５）。
【００６５】
その結果、Ｄｅｖｉｃｅ  Ｕｓａｇｅ  Ｒｕｌｅ情報２１８Ｃが有効でないと判別した場合（ステップＳ１５のＮｏ）、後述するステップＳ３０に進む。一方、Ｄｅｖｉｃｅ  Ｕｓａｇｅ  Ｒｕｌｅ情報２１８Ｃが有効であると判別した場合（ステップＳ１５のＹｅｓ）、次に、制御部１は、Ｄｅｖｉｃｅ  Ｕｓａｇｅ  Ｒｕｌｅ情報２１８Ｃを取得する（ステップＳ１６）。次に、制御部１は、Ｄｅｖｉｃｅ  Ｕｓａｇｅ  Ｒｕｌｅ情報２１８Ｄを取得する（ステップＳ１７）。
【００６６】
次に、制御部１は、現在時刻が再生有効期間Ｔ２内であるか否かを判別する（ステップＳ１８）。再生有効期間Ｔ２とは、Ｄｅｖｉｃｅ  Ｕｓａｇｅ  Ｒｕｌｅ情報２１８Ｃで設定される再生有効期間Ｔ２の開始日時と、Ｄｅｖｉｃｅ  Ｕｓａｇｅ  Ｒｕｌｅ情報２１８Ｄで設定される再生有効期間Ｔ２の終了日時との期間である。
【００６７】
その結果、現在時刻が再生有効期間Ｔ２内でないと判別した場合（ステップＳ１８のＮｏ）、この手順を終了する。即ち、再生有効期間Ｔ２内でない場合にはコンテンツの再生を行わない。一方、現在時刻が再生有効期間Ｔ２内であると判別した場合（ステップＳ１８のＹｅｓ）、後述するステップＳ４０に進む。
【００６８】
次に、図８を用いて、Ｄｅｖｉｃｅ  Ｕｓａｇｅ  Ｒｕｌｅ情報２１８の設定処理について説明する。
【００６９】
まず、制御部１は、Ｄｅｖｉｃｅ  Ｕｓａｇｅ  Ｒｕｌｅ情報２１８Ｇを取得する（ステップＳ２０）。次に、Ｄｅｖｉｃｅ  Ｕｓａｇｅ  Ｒｕｌｅ情報２１８Ｇが有効であるか否かを判別する（ステップＳ２１）。その結果、Ｃｏｎｔｅｎｔ  Ｕｓａｇｅ  Ｒｕｌｅ情報２１６Ｇが有効でないと判別した場合（ステップＳ２１のＮｏ）、後述するステップＳ５０に進む。一方、Ｃｏｎｔｅｎｔ  Ｕｓａｇｅ  Ｒｕｌｅ情報２１６が有効であると判別した場合（ステップＳ２１のＹｅｓ）、次に、制御部１は、現在時刻をＤｅｖｉｃｅ  Ｕｓａｇｅ  Ｒｕｌｅ情報２１８Ｃに設定する（ステップＳ２２）。次に、現在時刻にＤｅｖｉｃｅ  Ｕｓａｇｅ  Ｒｕｌｅ情報２１８Ｇの再生有効期間Ｔ２の日数を加算して、Ｄｅｖｉｃｅ  Ｕｓａｇｅ  Ｒｕｌｅ情報２１８Ｄに設定する（ステップＳ２３）。
【００７０】
以上のステップＳ２０〜Ｓ２３により、再生可能期間Ｔ１が設定されていない場合の、Ｄｅｖｉｃｅ  Ｕｓａｇｅ  Ｒｕｌｅ情報２１８Ｃ及びＤｅｖｉｃｅ  Ｕｓａｇｅ  Ｒｕｌｅ情報２１８Ｄの設定が完了する。ステップＳ２３は上述のステップＳ１６に進む。
【００７１】
次に、図９を用いて、初回再生時のＤｅｖｉｃｅ  Ｕｓａｇｅ  Ｒｕｌｅ情報２１８の更新処理について説明する。
【００７２】
まず、Ｄｅｖｉｃｅ  Ｕｓａｇｅ  Ｒｕｌｅ情報２１８Ｃが有効でないと判別した場合（ステップＳ１５のＮｏ）、現在時刻をＤｅｖｉｃｅ  Ｕｓａｇｅ  Ｒｕｌｅ情報２１８Ｃに設定する（ステップＳ３０）。即ち、再生を実行する現時点を、再生有効期間Ｔ２の開始日時として設定する。
【００７３】
次に、制御部１は、Ｄｅｖｉｃｅ  Ｕｓａｇｅ  Ｒｕｌｅ情報２１８Ｇを取得する（ステップＳ３１）。次に、制御部１は、Ｄｅｖｉｃｅ  Ｕｓａｇｅ  Ｒｕｌｅ情報２１８Ｇのフラグが有効であるか否かを判別する（ステップＳ３２）。その結果、有効でないと判別した場合（ステップＳ３２のＮｏ）、Ｄｅｖｉｃｅ  Ｕｓａｇｅ  Ｒｕｌｅ情報２１８ＦをＤｅｖｉｃｅ  Ｕｓａｇｅ  Ｒｕｌｅ情報２１８Ｄとして設定する（ステップＳ３３）。即ち、再生有効期間が設定されていない場合には、再生可能期間Ｔ１の終了日時と同一の日時に設定する。
【００７４】
一方、有効であると判別した場合（ステップＳ３２のＹｅｓ）、次に、制御部１は、現在時刻にＤｅｖｉｃｅ  Ｕｓａｇｅ  Ｒｕｌｅ情報２１８Ｇを加算した日時をＤｅｖｉｃｅ  Ｕｓａｇｅ  Ｒｕｌｅ情報２１８Ｄに設定する（ステップＳ３４）。即ち、現在時刻に再生有効期間Ｔ２の日数を加算した日時を再生有効期間Ｔ２の終了日時として設定する。
【００７５】
以上のステップＳ３０〜Ｓ３４により、初回再生時のＤｅｖｉｃｅ  Ｕｓａｇｅ  Ｒｕｌｅ情報２１８Ｃ及びＤｅｖｉｃｅ  Ｕｓａｇｅ  Ｒｕｌｅ情報２１８Ｄの設定が完了する。ステップＳ３３及びステップＳ３４は上述のステップＳ１６に進む。
【００７６】
以上の、図７〜図９のフローチャートに示した手順により、Ｄｅｖｉｃｅ  Ｕｓａｇｅ  Ｒｕｌｅ情報２１８についての再生判別は終了する。次に、Ｃｏｎｔｅｎｔ  Ｕｓａｇｅ  Ｒｕｌｅ情報２１６についての再生判別について図１０〜図１２を用いて説明する。
【００７７】
まず、制御部１は、Ｃｏｎｔｅｎｔ  Ｕｓａｇｅ  Ｒｕｌｅ情報２１６ＧとＣｏｎｔｅｎｔ  Ｕｓａｇｅ  Ｒｕｌｅ情報２１６Ｈのフラグが共に有効であるか否かを判別する（ステップＳ４０）。その結果、有効でないと判別した場合（ステップＳ４０のＮｏ）、後述するステップＳ６０に進む。即ち、即ち、再生可能期間Ｔ１に関する設定が有効でない場合、再生有効期間Ｔ２の開始日時及び終了日時の設定を行う。一方、有効であると判別した場合（ステップＳ４０のＹｅｓ）、次に、制御部１は、現在時刻が再生可能期間Ｔ１内であるか否かを判別する（ステップＳ４１）。再生可能期間Ｔ１は、Ｃｏｎｔｅｎｔ  Ｕｓａｇｅ  Ｒｕｌｅ情報２１６Ｇで設定される再生可能期間Ｔ１の開始日時と、Ｃｏｎｔｅｎｔ  Ｕｓａｇｅ  Ｒｕｌｅ情報２１６Ｈで設定される再生可能期間Ｔ１の終了日時との期間である。
【００７８】
その結果、再生可能期間Ｔ１内ではないと判別した場合（ステップＳ４１のＮｏ）、この手順を終了する。即ち、再生可能期間Ｔ１内でなければ再生装置１０１を動作させてコンテンツの再生を行うことはできない。一方、再生可能期間Ｔ１内であると判別した場合（ステップＳ４１のＹｅｓ）、次に、制御部１は、Ｃｏｎｔｅｎｔ  Ｕｓａｇｅ  Ｒｕｌｅ情報２１６Ｄのフラグが有効であるか否かを判別する（ステップＳ４２）。
【００７９】
その結果、Ｃｏｎｔｅｎｔ  Ｕｓａｇｅ  Ｒｕｌｅ情報２１６Ｄが有効でないと判別した場合（ステップＳ４２のＮｏ）、後述するステップＳ７０に進む。一方、Ｃｏｎｔｅｎｔ  Ｕｓａｇｅ  Ｒｕｌｅ情報２１６Ｄが有効であると判別した場合（ステップＳ４２のＹｅｓ）、次に、制御部１は、Ｃｏｎｔｅｎｔ  Ｕｓａｇｅ  Ｒｕｌｅ情報２１６Ｄを取得する（ステップＳ４３）。次に、制御部１は、Ｃｏｎｔｅｎｔ  Ｕｓａｇｅ  Ｒｕｌｅ情報２１６Ｅを取得する（ステップＳ４４）。
【００８０】
次に、制御部１は、現在時刻が再生有効期間Ｔ２内であるか否かを判別する（ステップ４５）。再生有効期間Ｔ２とは、Ｃｏｎｔｅｎｔ  Ｕｓａｇｅ  Ｒｕｌｅ情報２１６Ｄで設定される再生有効期間Ｔ２の開始日時と、Ｃｏｎｔｅｎｔ  Ｕｓａｇｅ  Ｒｕｌｅ情報２１６Ｅで設定される再生有効期間Ｔ２の終了日時との期間である。
【００８１】
その結果、現在時刻が再生有効期間Ｔ２内でないと判別した場合（ステップＳ４５のＮｏ）、この手順を終了する。即ち、再生有効期間Ｔ２内でない場合にはコンテンツの再生は行わない。一方、現在時刻が再生有効期間Ｔ２内であると判別した場合（ステップＳ４５のＹｅｓ）、次に、制御部１は、Ｃｏｎｔｅｎｔ  Ｕｓａｇｅ  Ｒｕｌｅ情報２１６Ｉが有効であるか否かを判別する（ステップＳ４６）。即ち、コンテンツ再生可能回数が設定されているかを判別する。
【００８２】
その結果、有効でないと判別した場合（ステップＳ４６のＮｏ）、後述するステップＳ５０に進む。即ち、コンテンツ再生可能回数が設定されていない場合とは、無限回再生が可能である場合である。一方、有効であると判別した場合（ステップＳ４６のＹｅｓ）、次に、制御部１は、Ｃｏｎｔｅｎｔ  Ｕｓａｇｅ  Ｒｕｌｅ情報２１６Ｆ及びＣｏｎｔｅｎｔ  Ｕｓａｇｅ  Ｒｕｌｅ情報２１６Ｉを取得する（ステップＳ４７）。
【００８３】
次に、制御部１は、現在のコンテンツ再生回数がコンテンツ再生可能回数よりも少ないか否かを判別する（ステップＳ４８）。その結果、現在のコンテンツ再生回数がコンテンツ再生可能回数よりも少なくないと判別した場合（ステップＳ４８のＮｏ）、この手順を終了する。一方、現在のコンテンツ再生回数がコンテンツ再生可能回数よりも少ないと判別した場合（ステップＳ４８のＹｅｓ）、次に、制御部１は、Ｃｏｎｔｅｎｔ  Ｕｓａｇｅ  Ｒｕｌｅ情報２１６Ｆを更新する（ステップＳ４９）。即ち、現在の再生回数を１回加算する。
【００８４】
次に、制御部１は、コンテンツファイル２１４の再生を実行する（ステップＳ５０）。
【００８５】
即ち、ＳＤメモリカード１０３に記憶されるコンテンツファイル２１４及び鍵情報２１６ＢをリムーバブルメディアＩ／Ｆ２にて読み出し、復号部６に伝送する。復号部６でデコードされたコンテンツはＴＳ−ＤＥＭＵＸ７でデータの種類別に分離され、各部で処理が施された後に出力される。再生が終了すると、この再生判別手順は終了する。
【００８６】
また、再生装置１０１は、コンテンツファイル２１４に対応する再生機能を有していない場合は、ネットワークを介して対応する再生機能を実現するソフトウェアをダウンロードする。若しくは、メディアによるアップデートを行い、再生装置１０１にインストールする。また、予めＳＤメモリカード１０３にコンテンツ再生ソフトウェアを記憶しておき、コンテンツ再生時に適宜インストール若しくはＳＤメモリカード１０３から直接起動させても良い。
【００８７】
本実施の形態においては、Ｄｅｖｉｃｅ  Ｕｓａｇｅ  Ｒｕｌｅ情報２１８に記憶されている再生有効期間Ｔ２以降は、上述のように取得したコンテンツファイル２１４に対応する再生機能が実行できなくなる。もとからコンテンツファイル２１４に対応する再生機能が備えている再生装置１０１にて再生有効期間Ｔ２以降に再生を実行する場合、そのＳＤメモリカード１０３に記憶されたコンテンツファイル２１４の再生は実行しない。
【００８８】
次に、図１１を用いて、Ｃｏｎｔｅｎｔ  Ｕｓａｇｅ  Ｒｕｌｅ情報２１６の設定処理について説明する。
【００８９】
まず、Ｃｏｎｔｅｎｔ  Ｕｓａｇｅ  Ｒｕｌｅ情報２１６ＧとＣｏｎｔｅｎｔ  Ｕｓａｇｅ  Ｒｕｌｅ情報２１６Ｈのフラグが有効でないと判別した場合（ステップＳ４０のＮｏ）、制御部１は、Ｃｏｎｔｅｎｔ  Ｕｓａｇｅ  Ｒｕｌｅ情報２１６Ｊを取得する（ステップＳ６０）。次に、Ｃｏｎｔｅｎｔ  Ｕｓａｇｅ  Ｒｕｌｅ情報２１６Ｊが有効であるか否かを判別する（ステップＳ６１）。その結果、Ｃｏｎｔｅｎｔ  Ｕｓａｇｅ  Ｒｕｌｅ情報２１６Ｊが有効でないと判別した場合（ステップＳ６１のＮｏ）、上述したステップＳ５０に進む。一方、Ｃｏｎｔｅｎｔ  Ｕｓａｇｅ  Ｒｕｌｅ情報２１６Ｊが有効であると判別した場合（ステップＳ６１のＹｅｓ）、次に、制御部１は、現在時刻をＣｏｎｔｅｎｔ  Ｕｓａｇｅ  Ｒｕｌｅ情報２１６Ｄに設定する（ステップＳ６２）。次に、現在時刻にＣｏｎｔｅｎｔ  Ｕｓａｇｅ  Ｒｕｌｅ情報２１６Ｄの再生有効期間Ｔ２の日数を加算して、Ｃｏｎｔｅｎｔ  Ｕｓａｇｅ  Ｒｕｌｅ情報２１６Ｅに設定する（ステップＳ６３）。ステップＳ６３は上述のステップＳ４３に進む。
【００９０】
以上のステップＳ６０〜Ｓ６３により、再生可能期間Ｔ１が設定されていない場合の、Ｃｏｎｔｅｎｔ  Ｕｓａｇｅ  Ｒｕｌｅ情報２１６Ｄ及びＣｏｎｔｅｎｔ  Ｕｓａｇｅ  Ｒｕｌｅ情報２１６Ｅの設定が完了する。
【００９１】
次に、図１２を用いて、初回再生時のＣｏｎｔｅｎｔ  Ｕｓａｇｅ  Ｒｕｌｅ情報２１６の更新処理について説明する。
【００９２】
まず、Ｃｏｎｔｅｎｔ  Ｕｓａｇｅ  Ｒｕｌｅ情報２１６Ｄが有効でないと判別した場合（ステップＳ４２のＮｏ）、現在時刻をＣｏｎｔｅｎｔ  Ｕｓａｇｅ  Ｒｕｌｅ情報２１６Ｄに設定する（ステップＳ７０）。即ち、再生を実行する現時点を、再生有効期間Ｔ２の開始日時として設定する。
【００９３】
次に、制御部１は、Ｃｏｎｔｅｎｔ  Ｕｓａｇｅ  Ｒｕｌｅ情報２１６Ｊを取得する（ステップＳ７１）。次に、制御部１は、Ｃｏｎｔｅｎｔ  Ｕｓａｇｅ  Ｒｕｌｅ情報２１６Ｊのフラグが有効であるか否かを判別する（ステップＳ７２）。その結果、有効でないと判別した場合（ステップＳ７２のＮｏ）、Ｃｏｎｔｅｎｔ  Ｕｓａｇｅ  Ｒｕｌｅ情報２１６ＨをＣｏｎｔｅｎｔ  Ｕｓａｇｅ  Ｒｕｌｅ情報２１６Ｅとして設定する（ステップＳ７３）。即ち、再生有効期間が設定されていない場合には、再生可能期間Ｔ１の終了日時と同一の日時に設定する。
【００９４】
一方、有効であると判別した場合（ステップＳ７２のＹｅｓ）、次に、制御部１は、現在時刻にＣｏｎｔｅｎｔ  Ｕｓａｇｅ  Ｒｕｌｅ情報２１６Ｊを加算した日時をＣｏｎｔｅｎｔ  Ｕｓａｇｅ  Ｒｕｌｅ情報２１６Ｅに設定する（ステップＳ７４）。即ち、現在時刻に再生有効期間Ｔ２の日数を加算した日時を、再生有効期間Ｔ２の終了日時として設定する。
【００９５】
以上のステップＳ７０〜Ｓ７４により、初回再生時のＣｏｎｔｅｎｔ  Ｕｓａｇｅ  Ｒｕｌｅ情報２１６Ｄ及びＣｏｎｔｅｎｔ  Ｕｓａｇｅ  Ｒｕｌｅ情報２１６Ｅの設定が完了する。ステップＳ７３及びステップＳ７４は上述のステップＳ４３に進む。
【００９６】
尚、上述の再生判断手順においては、Ｄｅｖｉｃｅ  Ｕｓａｇｅ  Ｒｕｌｅ情報２１８を判別した後に、Ｃｏｎｔｅｎｔ  Ｕｓａｇｅ  Ｒｕｌｅ情報２１６を判別するとしたがこれに限定されることはない。即ち、Ｃｏｎｔｅｎｔ  Ｕｓａｇｅ  Ｒｕｌｅ情報２１６を判別した後に、Ｄｅｖｉｃｅ  Ｕｓａｇｅ  Ｒｕｌｅ情報２１８を判別しても良い。
【００９７】
以上のように、本発明の実施の形態によれば、着脱可能な記憶媒体に著作権保護されたコンテンツの利用許諾情報と、再生装置の利用許諾情報とを参照し、コンテンツの再生を行う。従って、コンテンツの再生は、両利用許諾情報が満たされる場合にのみ実行さされることになる。即ち、著作権保護機能を備えた書き換え可能な記録メディアを用いて、再生装置自体のコンテンツ再生機能の利用可否を制御可能にすることが実現する。
【００９８】
尚、本発明は上記実施の形態そのままに限定されるものではなく、実施段階ではその要旨を逸脱しない範囲で構成要素を変形して具現化できる。また、上記実施の形態に開示されている複数の構成要素の適宜な組み合わせにより、種々の発明を形成できる。例えば、実施の形態に示される全構成要素から幾つかの構成要素を削除してもよい。更に異なる実施の形態にわたる構成要素を適宜組み合わせても良い。
【符号の説明】
【００９９】
１  制御部
２  リムーバブルメディアＩ／Ｆ
３  セキュアクロック
４  記憶部
５  操作信号受信部
６  復号部
７  ＴＳ−ＤＥＭＵＸ
８  ビデオデコーダ部
９  オーディオデコーダ部
１０  映像出力部
１１  音声出力部
１００  コンテンツ配信システム
１０１  再生装置
１０１Ａ  ＳＤメモリカードスロット
１０２  コンテンツ配信端末
１０３  ＳＤメモリカード
２０１  システム領域
２０２  認証領域
２０３  通常領域
２１０  メディアＩＤ
２１１  鍵ファイル
２１２  コンテンツ暗号鍵情報
２１３  ハッシュ値
２１４  コンテンツファイル
２１５  Ｃｏｎｔｅｎｔｓ  Ｕｓａｇｅ  Ｒｕｌｅ  Ｆｉｌｅ
２１６  Ｃｏｎｔｅｎｔ  Ｕｓａｇｅ  Ｒｕｌｅ情報
２１７  Ｄｅｖｉｃｅｓ  Ｕｓａｇｅ  Ｒｕｌｅ  Ｆｉｌｅ
２１８  Ｄｅｖｉｃｅ  Ｕｓａｇｅ  Ｒｕｌｅ情報
【図１】
2010238334.tif 000003
【図２】
2010238334.tif 000004
【図３】
2010238334.tif 000005
【図４】
2010238334.tif 000006
【図５】
2010238334.tif 000007
【図６】
2010238334.tif 000008
【図７】
2010238334.tif 000009
【図８】
2010238334.tif 000010
【図９】
2010238334.tif 000011
【図１０】
2010238334.tif 000012
【図１１】
2010238334.tif 000013
【図１２】
2010238334.tif 000014
【手続補正書】
【提出日】平成22年5月17日(2010.5.17)
【手続補正１】
【補正対象書類名】特許請求の範囲
【補正対象項目名】全文
【補正方法】変更
【補正の内容】
【特許請求の範囲】
【請求項１】
着脱可能な記憶媒体から、少なくとも、コンテンツデータと、コンテンツ許諾と、再生装置許諾の何れかを読み出すように構成される記録媒体読出し部と、
前記コンテンツ許諾および再生装置許諾が満たされるか否かを判別するように構成される許諾確認部と、
前記許諾確認部にて前記コンテンツ許諾および再生装置許諾が満たされると判別した場合に、前記コンテンツを再生するように構成される再生制御部と
を有することを特徴とする再生装置。
【請求項２】
時刻情報を取得するように構成される時刻取得部を更に有し、
前記許諾確認部は、前記時刻情報により特定される再生開始時刻が、許諾期間セット内の一以上の許諾再生期間内であるか否かに基づいて、前記コンテンツ許諾が満たされるか否かを判別するように更に構成され、この許諾期間セットが、前記再生装置許諾で定義される第１の許諾再生期間を少なくとも有する
ことを特徴する請求項１に記載の再生装置。
【請求項３】
前記許諾確認部は、前記コンテンツ許諾で定義される再生限界よりも、前記コンテンツ許諾から得られる再生回数が小さいか否かに基づいて、前記コンテンツ許諾が満たされるかを判別するように構成され、
前記許諾期間セットが、前記コンテンツ許諾で定義される第２の許諾再生期間を更に有する
ことを特徴する請求項２に記載の再生装置。
【請求項４】
前記許諾期間セットが、
前記再生装置許諾で定義される第１の日数を前記再生開始時刻に加算して部分的に得られる第３の許諾再生期間と、
前記コンテンツ許諾で定義される第２の日数を前記再生開始時刻に加算して部分的に得られる第４の許諾再生期間と、を更に有する
ことを特徴する請求項３に記載の再生装置。
【請求項５】
前記許諾確認部は、前記再生開始時刻から前記第１の許諾再生期間の終了日時までの期間を第３の許諾再生期間と設定するように更に構成され、
前記許諾確認部は、前記再生開始時刻から前記第２の許諾再生期間の終了日時までの期間を前記第４の許諾再生期間と設定するように更に構成される
ことを特徴とする請求項３に記載の再生装置。
【請求項６】
着脱可能な記憶媒体であって、
前記再生装置により再生可能なコンテンツデータと、
前記コンテンツデータが再生可能な回数で特定される再生限界、前記コンテンツの第１の再生可能期間の少なくとも何れかを有する前記コンテンツ許諾と、
前記コンテンツを再生可能な少なくとも１の再生装置を示す少なくとも１の識別情報、前記再生装置にて前記コンテンツを再生可能な第２の再生可能期間の少なくとも何れかを有する前記再生装置許諾と、
を有することを特徴とする記憶媒体。
【手続補正２】
【補正対象書類名】明細書
【補正対象項目名】０００４
【補正方法】変更
【補正の内容】
【０００４】
【特許文献１】特開２００２−３５８７６５号公報